(57)【特許請求の範囲】
【請求項１】
光源モジュールと、
電源モジュールと、
前記光源モジュールと前記電源モジュールの間に接続され、前記電源モジュールからの直流電力を受けて、前記光源モジュールを駆動するための電力に変換して駆動電流を出力する駆動モジュールと、
前記駆動モジュールに接続され、前記電源モジュールからの第１の電圧信号を受けた時に、前記第１の電圧信号に基づいて、前記駆動モジュールから出力される前記駆動電流の値を制御する制御モジュールと、
前記電源モジュールに接続され、前記電源モジュールが電力を前記駆動モジュールに出力するとともに前記第１の電圧信号を前記制御モジュールに出力する導通の状態と、前記駆動モジュールが受けた前記電源モジュールからの前記電力を切断する切断の状態との間で切替える起動モジュールとを含み、
前記制御モジュールが前記第１の電圧信号を受けた時に、前記駆動電流の振幅を持続して増大させる第１段階の出力が行われるように前記駆動モジュールを制御し、前記起動モジュールが切断の状態に切替えて再び導通の状態に切替えた場合、前記制御モジュールが再び第１の電圧信号を受けて、前記第１段階の出力中の停止直前の駆動電流の値を再び導通の状態に切替えた後の駆動電流として固定した値で持続して出力する第２段階の出力が行われるように前記駆動モジュールを制御する照明装置。
【請求項２】
更に
前記起動モジュールと前記制御モジュールの間に設置され、前記起動モジュールが導通の状態に切替えた場合に、前記第１の電圧信号を前記制御モジュールに出力するカプラモジュールを含む請求項１に記載の照明装置。
【請求項３】
前記カプラモジュールは、フォトカプラを含む請求項２に記載の照明装置。
【請求項４】
前記起動モジュールは、切断の状態に切替えた場合に、第２の電圧信号を前記制御モジュールに出力するように前記カプラモジュールを制御して、前記第１段階の出力を完了させるように前記駆動モジュールを制御する請求項３に記載の照明装置。
【請求項５】
前記制御モジュールは、更に
パルス幅変調信号を前記駆動モジュールに出力し、前記駆動モジュールに前記パルス幅変調信号のパルス幅に対応する振幅を有する前記駆動電流を生成させるマイクロコントローラとを含み、
前記マイクロコントローラは、前記第１段階の出力において前記パルス幅変調信号のパルス幅を徐々に増大とし、前記第２段階の出力において前記パルス幅変調信号のパルス幅を固定とする請求項４に記載の照明装置。
【請求項６】
更に
前記制御モジュールに接続され、前記制御モジュールに出力モード切替信号を出力して、前記制御モジュールを所定のパルス幅変調信号を前記駆動モジュールに出力させて、前記パルス幅変調信号によって所定の前記駆動電流を出力させるように前記駆動モジュールを制御する出力モード切替モジュールとを含む請求項５に記載の照明装置。
【請求項７】
前記電源モジュールは、更に
前記制御モジュールに接続され、第１段階の出力が完了する際に、前記制御モジュールの前記マイクロコントローラに必要な電力を供給する蓄電部材とを含む請求項５に記載の照明装置。
【請求項８】
前記起動モジュールが切断の状態になった場合、前記電源モジュールの整流モジュールと一次側フィルターから前記制御モジュールに第２の電圧信号が出力され、第１段階の出力を完了させるように前記駆動モジュールを制御する請求項１に記載の照明装置。
【請求項９】
前記起動モジュールは、音声制御または手動で導通の状態と切断の状態との間で切替える請求項１に記載の照明装置。
【請求項１０】
光源モジュールと、電源モジュールと、駆動モジュールと、制御モジュールと、起動モジュールとを含む照明装置の光度調節方法であって、
起動モジュールが導通の状態と切断の状態との間で切替えることにより電源モジュールから電力が駆動モジュールに出力されることが制御され、起動モジュールが導通の状態になった場合、第１の電圧信号を制御モジュールに出力させるステップと、
前記制御モジュールが前記第１の電圧信号を受けてから、前記光源モジュールに出力する駆動電流の振幅を徐々に増大する第１段階の出力を行うように前記駆動モジュールを制御するステップと、
前記制御モジュールが再び第１の電圧信号を受けて、前記第１段階の出力中の停止直前の駆動電流の値を再び導通の状態に切替えた後の駆動電流として固定した値で持続して出力する第２段階の出力が行われるように前記駆動モジュールを制御するステップと、
を含む照明装置の光度調節方法。
【請求項１１】
更に
前記起動モジュールを前記導通の状態に切替えて、前記電源モジュールから電力を前記駆動モジュールに出力させ、第１の電圧信号を前記駆動モジュールに出力させるステップと、
前記起動モジュールを前記切断の状態に切替えて、前記駆動モジュールに前記電源モジュールから供給された電力を切断するステップと、
を含む請求項１０に記載の光度調節方法。
【請求項１２】
前記起動モジュールは、音声制御または手動で導通の状態と切断の状態との間で切替える請求項１１に記載の光度調節方法。
【請求項１３】
更に
前記起動モジュールが導通の状態に切替えた場合に、前記第１の電圧信号を前記制御モジュールに出力するようにカプラモジュールを制御するステップとを含む請求項１２に記載の光度調節方法。
【請求項１４】
更に
フォトカプラを用いて前記起動モジュールの状態を測定し、前記起動モジュールが導通の状態に切替えたと測定された場合に、前記第１の電圧信号を前記制御モジュールに出力するようにフォトカプラを制御するステップとを含む請求項１３に記載の光度調節方法。
【請求項１５】
更に
前記起動モジュールが切断の状態になった時点に、第２の電圧信号を出力するステップと、
前記第２の電圧信号が測定された時に、第１段階の出力を完了するように、前記駆動モジュールを制御するステップとを含む請求項１０に記載の光度調節方法。
【請求項１６】
更に
前記第１段階の出力において、前記駆動モジュールに入力されるパルス幅変調信号の幅を徐々に増大するステップと、
前記第２段階の出力において、幅が固定された前記パルス幅変調信号を前記駆動モジュールに入力するステップと、
を含む請求項１５に記載の光度調節方法。
【請求項１７】
更に
前記駆動モジュールに所定の駆動電流を出力させるように、出力モード切替信号を前記制御モジュールに入力するステップと、
を含む請求項１１に記載の光度調節方法。
【発明の詳細な説明】
【技術分野】
【０００１】
本発明は、照明装置に関し、特に光度の調節できる照明装置及び光度調節方法に関する。
【背景技術】
【０００２】
出力光度が固定する照明器具の他、トライアックや、パルス幅変調回路、多段階スイッチなどの調光部材により、希望の出力光度を調節できる照明装置がある。
図１Ａは従来の照明装置１０の回路ブロックを示す図であり、図１Ｂは図１Ａに示す光源モジュール４０の出力光度とトライアック３０の出力電流との関係を示すグラフである。図１Ａに示す従来の照明装置１０は、外部電源２０と、トライアック３０と、光源モジュール４０とを含み、トライアック３０によって光源モジュール４０に出力される電流が制御され、光源モジュール４０の光度がコントロールされる。図１Ｂに示すように、光源モジュール４０の光度は、トライアック３０の出力電流に正比例して、トライアック３０の出力電流と線形的な関係を有する。
【０００３】
前記従来の照明装置１０は、トライアック３０により光度を線形的にコントロールできる。しかし、トライアック３０から出力する電流の安定性が悪く、電流の安定性に敏感する発光ダイオードが光源として用いられる場合は、トライアック３０から出力する安定でない電流の振幅に影響され、光度が不安定になる問題点があり、また、トライアック３０は、外部電源を駆動電流に変換する効率が悪い問題点があるため、発光ダイオードが光源モジュール４０とする照明装置の制御に、トライアック３０は適していないと考えられる。
【０００４】
図２Ａは他の従来の照明装置１２の回路ブロックを示す図であり、図２Ｂは図２Ａに示す光源モジュール４０の出力光度とスイッチの切替時点との関係を示すグラフである。図２Ａに示す照明装置１２は、光源モジュール４０と、制御モジュール５０と、スイッチ６０とを含む。図２Ａに示すスイッチ６０は、切断（オフ）の状態と導通（オン）の状態の二つの状態の間のみで切替え、オフの状態からオンの状態に切替える時に、外部電源２０からの電力が制御モジュール５０に伝送される。制御モジュール５０が電力を受ける度に、光源モジュール４０に出力する電流に所定の値がプラスされる。制御モジュール５０の出力電流を調節するために、光源モジュール４０が希望の光度になるまでに、スイッチ６０をオンの状態とオフの状態で数回切替える必要がある。
【０００５】
前記従来の照明装置１２は、光度を調節する時に、光度を確認しながらスイッチ６０を切替える必要があるため、不便である。また、図２Ａに示す制御モジュール５０は、段階的に出力電流の振幅を増加するしかできず、照明装置１２が二つの段階の間の光度を出力できない、つまり、図２Ａに示す従来の照明装置１２は線形的に光度をコントロールできない。
【０００６】
前記のように、光度を線形的にコントロールと共に安定性を保ちながら、電力の転換効率を高める調節方法は、照明装置にとって、重要の課題になる。
【発明の概要】
【発明が解決しようとする課題】
【０００７】
そこで、本発明は、一つのスイッチだけで光度を無段で線形的にコントロールできる照明装置及び光度調節方法を提供することを主な目的とする。
【課題を解決するための手段】
【０００８】
前記目的を達成するために、本発明は、光源モジュールと、電源モジュールと、前記光源モジュールと前記電源モジュールの間に接続され、前記電源モジュールからの直流電力を受けて、前記光源モジュールを駆動するための電力に変換して駆動電流を出力する駆動モジュールと、前記駆動モジュールに接続され、前記電源モジュールからの第１の電圧信号を受けた時に、前記第１の電圧信号に基づいて、前記駆動モジュールから出力される前記駆動電流の値を制御する制御モジュールと、前記電源モジュールに接続され、前記電源モジュールが電力を前記駆動モジュールに出力するとともに前記第１の電圧信号を前記制御モジュールに出力する導通の状態と、前記駆動モジュールが受けた前記電源モジュールからの前記電力の供給を切断する切断の状態との間で切替える起動モジュールとを含み、前記制御モジュールが前記第１の電圧信号を受けた時に、前記駆動電流の振幅を持続して増大させる第１段階の出力が行われるように前記駆動モジュールを制御し、前記起動モジュールが切断の状態に切替えて再び導通の状態に切替えた場合、前記制御モジュールが再び第１の電圧信号を受けて、前記第１段階の出力中の停止直前の駆動電流の値を再び導通の状態に切替えた後の駆動電流として固定した値で持続して出力する第２段階の出力が行われるように前記駆動モジュールを制御する照明装置を提供する。
【０００９】
前記照明装置は、更に前記起動モジュールと前記制御モジュールの間に設置され、前記起動モジュールが導通の状態に切替えた場合に、前記第１の電圧信号を前記制御モジュールに出力するカプラモジュールを含み、前記カプラモジュールは、フォトカプラであるもが好ましい。
【００１０】
また、前記起動モジュールは、切断の状態に切替えた場合に、第２の電圧信号を前記制御モジュールに出力するように前記カプラモジュールを制御して、前記第１段階の出力を完了させるように前記駆動モジュールを制御する。
【００１１】
前記制御モジュールは、更にパルス幅変調信号を前記駆動モジュールに出力し、前記駆動モジュールに前記パルス幅変調信号のパルス幅に対応する振幅を有する前記駆動電流を生成させるマイクロコントローラとを含み、前記マイクロコントローラは、前記第１段階の出力において前記パルス幅変調信号のパルス幅を徐々に増大し、前記第２段階の出力において前記パルス幅変調信号のパルス幅を固定する。
【００１２】
前記照明装置は、更に前記制御モジュールに接続され、前記制御モジュールに出力モード切替信号を出力して、前記制御モジュールを所定のパルス幅変調信号を前記駆動モジュールに出力させて、前記パルス幅変調信号によって所定の前記駆動電流を出力させるように前記駆動モジュールを制御する出力モード切替モジュールとを含む。
【００１３】
前記電源モジュールは、更に前記制御モジュールに接続され、第１段階の出力が完了する際に、前記制御モジュールの前記マイクロコントローラに必要な電力を供給する蓄電部材とを含む。
【００１４】
前記起動モジュールが切断の状態になった場合、前記電源モジュールの前記整流モジュールと一次側フィルターから前記制御モジュールに第２の電圧信号が出力され、第１段階の出力を完了させるように前記駆動モジュールを制御する。
【００１５】
前記起動モジュールは、音声制御または手動で導通の状態と切断の状態との間で切替える。
また、本発明は、光源モジュールと、電源モジュールと、駆動モジュールと、制御モジュールと、起動モジュールとを含む照明装置の光度調節方法であって、起動モジュールが導通の状態と切断の状態との間で切替えることによって、電源モジュールから電力が駆動モジュールに出力されることが制御され、起動モジュールが導通の状態になった場合、第１の電圧信号を制御モジュールに出力させるステップと、前記制御モジュールが前記第１の電圧信号を受けてから、前記光源モジュールに出力する前記駆動電流の振幅を徐々に増大する第１段階の出力を行うように前記駆動モジュールを制御するステップと、前記制御モジュールが再び第１の電圧信号を受けて、前記第１段階の出力中の停止直前の駆動電流の値を再び導通の状態に切替えた後の駆動電流として固定した値で持続して出力する第２段階の出力が行われるように前記駆動モジュールを制御するステップとを含む照明装置の光度調節方法を提供する。
【００１６】
前記光度調節方法は、更に前記起動モジュールを前記導通の状態に切替えて、前記電源モジュールから電力を前記駆動モジュールに出力させ、第１の電圧信号を前記駆動モジュールに出力させるステップと、前記起動モジュールを前記切断の状態に切替えて、前記駆動モジュールに前記電源モジュールから供給された電力を切断するステップとを含む。
【００１７】
前記光度調節方法は、更に前記起動モジュールが導通の状態に切替えた場合に、前記第１の電圧信号を前記制御モジュールに出力するようにカプラモジュールを制御するステップとを含む。
【００１８】
前記光度調節方法は、更にフォトカプラを用いて前記起動モジュールの状態を測定し、前記起動モジュールが導通の状態に切替えたと測定された場合に、前記第１の電圧信号を前記制御モジュールに出力するようにフォトカプラを制御するステップとを含む。
【００１９】
前記光度調節方法は、更に前記起動モジュールが切断の状態になった時点に、第２の電圧信号を出力するステップと、前記第２の電圧信号が測定された時に、第１段階の出力を完了するように、前記駆動モジュールを制御するステップとを含む。
【００２０】
前記光度調節方法は、更に前記第１段階の出力において、前記駆動モジュールに入力されるパルス幅変調信号の幅を徐々に増大するステップと、前記第２段階の出力において、幅が固定された前記パルス幅変調信号を前記駆動モジュールに入力するステップとを含む。
【００２１】
前記光度調節方法は、更に前記駆動モジュールに所定の駆動電流を出力させるように、出力モード切替信号を前記制御モジュールに入力するステップとを含む。
【図面の簡単な説明】
【００２２】
【図１Ａ】従来の照明装置の回路ブロックを示す図。
【図１Ｂ】図１Ａに示す照明装置の出力光度とトライアックの出力電流との関係を示すグラフ。
【図２Ａ】他の従来の照明装置の回路ブロックを示す図。
【図２Ｂ】図２Ａに示す照明装置の出力光度とスイッチの切替時点との関係を示すグラフ。
【図３】本発明に係る照明装置の回路ブロックの実施形態を示す図。
【図４】本発明に係る照明装置の他の実施形態を示す図。
【図５】本発明に係る照明装置の光度調節方法の実施形態を示すフローチャート。
【図６】本発明に係る照明装置の光度調節方法の他の実施形態を示すフローチャート。
【発明を実施するための形態】
【００２３】
図３は本発明に係る照明装置１００の回路ブロックの実施形態を示す図である。図３に示すように、照明装置１００は、光源モジュール２００と、電源モジュール３００と、駆動モジュール４００と、制御モジュール５００と、起動モジュール６００とを含む。本実施形態において、起動モジュール６００がオンの状態に切替えた場合、電源モジュール３００からの電力が駆動モジュール４００に出力され、駆動モジュール４００は、電源モジュール２００から直流電力を受けて、光源モジュール２００を駆動するための電力に変換して駆動電流を出力し、光源モジュール２００を発光させる。一方、起動モジュール６００がオフの状態に切替えた場合、電源モジュール３００と駆動モジュール４００の間の電力が切断される。つまり、起動モジュール６００がオフの状態に切替えた場合、電源モジュール３００から電力が駆動モジュール４００に出力しなくなる。
【００２４】
本実施形態において、光源モジュール２００は、複数の発光ダイオードを含む発光ダイオード光源モジュール２００であるが、これに限らず、交流電や直流電によって発光する従来の光源であってもよい。また、本実施形態において、駆動モジュール４００は直流―直流コンバータであり、制御モジュール５００はマイクロコントローラである。
【００２５】
本実施形態において、電源モジュール３００は、更に整流モジュール３１０と、変圧モジュール３２０と、一次側フィルター３３０と、二次側フィルター３４０と、蓄電部材３５０とを含む。前記一次側フィルター３３０、二次側フィルター３４０と蓄電部材３５０はコンデンサである。
【００２６】
起動モジュール６００は、ボタンや、タッチセンサーなど導通の状態と切断の状態で切替えられる電子部品であってよい。図３に示すように、起動モジュール６００は、電気的に整流モジュール３１０と外部電源１１０の間に接続される。起動モジュール６００が導通の状態に切替えた場合、外部電源１１０からの交流電Ａ（例えば１１０Ｖや２２０Ｖ）が整流モジュール３１０に入力され、正極の全波整流電圧に変換される。つまり、本実施形態において、整流モジュール３１０は、二極で変化する交流電力を一極性の直流電力に変換する例えば全波整流器やブリッジ回路のような電子部材である。
【００２７】
一次側フィルター３３０は、整流モジュール３１０から出力された全波整流電圧Ｂを受けて初期濾波して第１の電圧信号Ｃを出力する。本実施形態において、第１の電圧信号Ｃはリップル電圧である。本実施形態に用いられる変圧モジュール３２０は、一次側フィルター３３０から出力された第１の電圧信号Ｃを同じ波形で異なる電圧値の電圧に変換するトランスである。つまり、変圧モジュール３２０は、一次側フィルター３３０から出力された第１の電圧信号Ｃの振幅を増大または縮小するために用いられる。
【００２８】
二次側フィルター３４０は、変圧モジュール３２０から出力された第１の電圧信号Ｃを受けて、更に第１の電圧信号Ｃに含まれるリップル信号を濾波して直流電力を生成して駆動モジュール４００に出力する。前記駆動モジュール４００は、前記直流電力を受けながら、制御モジュール５００の指示に従って、光源モジュール２００に駆動電流Ｄを出力し、光源モジュール２００は、駆動電流Ｄの振幅に対応した光度で発光する。
【００２９】
駆動モジュール４００は、制御モジュール５００からのパルス幅変調信号ＰＷＭを受けることにより、パルス幅変調信号ＰＷＭの幅に対応した振幅を有する直流電圧を出力する。蓄電部材３５０は、蓄電とフィルターの機能を有し、変圧モジュール３２０と制御モジュール５００の間に接続され、第１の電圧信号Ｃに含まれるリップル信号を濾波して直流電力を生成して制御モジュール５００に出力し、起動モジュール６００が切断の状態に切替えた場合に、貯蓄された電力を制御モジュール５００に供給する。
【００３０】
本実施形態において、制御モジュール５００は、起動モジュール６００が導通の状態であるかどうかによって、駆動モジュール４００に出力するパルス幅変調信号を制御する。詳細に、制御モジュール５００は、一次側フィルター３３０から第１の電圧信号Ｃが出力されたかを測定することにより、起動モジュール６００が導通または切断の状態であるかを判断する。起動モジュール６００が導通の状態になってから、電力が整流モジュール３１０及び一次側フィルター３３０を通って第１の電圧信号Ｃを生成して、制御モジュール５００に出力される。制御モジュール５００は、第１の電圧信号Ｃ受けてから駆動モジュール４００にパルス幅変調信号ＰＷＭを出力して、第１段階の出力が行われるように駆動モジュール４００を制御する。第１段階の出力において、制御モジュール５００から出力されるパルス幅変調信号ＰＷＭは徐々に振幅が増大され、これに対応して、駆動モジュール４００は振幅が徐々に増大される駆動電流Ｄを光源モジュール２００に出力する。こうして、光源モジュール２００は徐々に光度を増大しながら発光する。
【００３１】
前記のように、起動モジュール６００が導通（オン）の状態に切替えた場合、光度が徐々に増大され、希望の光度になった時点に、起動モジュール６００を切断（オフ）の状態に切替える。起動モジュール６００が切断の状態に切替えた時に、第２の電圧信号Ｅが整流モジュール３１０及び一次側フィルター３３０を通して制御モジュール５００に出力される。制御モジュール５００は、第２の電圧信号を受けてから、パルス幅変調信号ＰＷＭの幅の増大を停止して、停止直前の幅を有するパルス幅変調信号ＰＷＭを記録する。この時、起動モジュール６００が切断の状態に切替えた場合における制御モジュール５００が必要な電力は蓄電部材３５０から供給される。また、起動モジュール６００が切断の状態に切替えたため、電源モジュール３００と駆動モジュール４００から信号が出力しなくなる。再び起動モジュール６００を導通（オン）の状態に切替えた場合、電源モジュール３００から再び制御モジュール５００に第１の電圧信号Ｃが出力され、駆動モジュール４００に第２段階の出力を行われせる。第２段階の出力において、駆動モジュール４００は、制御モジュール５００から幅が固定されたパルス幅変調信号ＰＷＭを受けることにより、パルス幅変調信号ＰＷＭの幅に対応した固定値の駆動電流Ｄを持続して出力する。即ち駆動モジュール４００は第２段階の出力において、第１段階の出力中の停止直前の駆動電流値Ｄを駆動電流Ｄとして電流値を固定して持続して出力する。これにより、光源モジュール２００は電流値が固定された駆動電流Ｄにより希望の光度で発光する。
【００３２】
図３に示す実施形態において、制御モジュール５００は、蓄電部材３５０からの直流電力によって、駆動モジュール４００が出力駆動電流Ｄを制御するが、これに限らず、他の実施形態において、制御モジュール５００は、直接駆動電流Ｄを測定してもよく、第１段階の出力で、駆動モジュール４００を制御するためのパルス幅変調信号の幅によって、駆動電流Ｄの振幅を制御してもよい。また、本実施形態において、照明装置１００は、起動モジュール６００としてボタンや、タッチセンサーなどが用いられ、導通の状態と切断の状態の間で切替えるが、これに限らず、他の実施形態において、起動モジュール６００として、使用者が発する音声の周波数、音量を判別できる音声制御スイッチが用いられてもよい。
【００３３】
図４は本発明に係る照明装置の他の実施形態を示す図である。図４に示すように、照明装置１００は、更にカプラモジュール７００と、出力モード切替モジュール７１０とを含む。カプラモジュール７００は、制御モジュール５００と起動モジュール６００の間に設置され、起動モジュール６００が導通の状態に切替えた場合に、電源モジュール３００からの第１の電圧信号Ｃを一旦非電気信号に変換してから再び電気信号に変換して、制御モジュール５００に出力する。これにより、本実施形態において、制御モジュール５００は、カプラモジュール７００が出力する電圧信号を測定することによって、起動モジュール６００が導通または切断の状態であるかを判断できる。また、本実施形態におけるカプラモジュール７００は、フォトカプラであるのが好ましく、変圧モジュール３２０と制御モジュール５００とを電気的に絶縁して、電源モジュール３００を隔離された回路とすることができる。
【００３４】
一方、図４に示す出力モード切替モジュール７１０は、制御モジュール５００に接続され、使用者の操作により、モード切替え信号Ｆを制御モジュール５００に出力する。制御モジュール５００は、モード切替え信号Ｆ受けてから、予め制御モジュール５００に記憶された所定のモードにより、特定出力を行う。本実施形態において、特定出力とは、幅が固定されたパルス幅変調信号ＰＷＭを持続して駆動モジュール４００に出力することにより、駆動モジュール４００に振幅の幅が固定された駆動電流Ｄを光源モジュール２００に出力させて、光源モジュール２００に光度が固定された光で発光させること。前記のように、使用者が経験した所定の光度で光源モジュール２００に直接発光させたい場合、出力モード切替モジュール７１０で駆動モジュール４００を制御して、特定出力により、所定の駆動電流Ｄを光源モジュール２００に出力させる。こうして、光源モジュール２００は短い時間内に所定の駆動電流Ｄにより使用者が希望の光度で発光する。
【００３５】
特定出力は所定の照明環境になるように使用者に設定され、例えば、制御モジュール５００に予め記憶された所定のデューティ・サイクルが７０％の場合に、読書モードと設定され、所定のデューティ・サイクルが２０％の場合に、映写、プレゼンテーションモードと設定されることができ、制御モジュール５００は出力モード切替え信号Ｆを受けた場合に、特定出力を行い、つまり、デューティ・サイクルが７０％や２０％のパルス幅変調信号ＰＷＭを持続して出力する。一方、駆動モジュール４００は、パルス幅変調信号ＰＷＭを受けて、デューティ・サイクルが７０％や２０％のパルス幅変調信号ＰＷＭに対応する駆動電流Ｄを光源モジュール２００に出力して、所定の光度で発光させる。
【００３６】
また、本実施形態において、照明装置１００は、前記振幅が固定した特定出力または振幅が徐々に増加する第１段階の出力の間で切替できる。具体的に、照明装置１００において、駆動モジュール４００が第１段階の出力（振幅が徐々に増大する駆動電流Ｄを出力する段階）、または第２段階の出力（振幅が固定された駆動電流Ｄを出力する段階）の進行中に、出力モード切替モジュール７１０によって、特定出力のパルス幅変調信号ＰＷＭを駆動モジュール４００に出力するように、制御モジュール５００を制御できる。つまり、照明装置１００は、いつでも駆動モジュール４００を制御して、振幅が特定出力に対応する駆動電流Ｄを持続して光源モジュール２００に出力することができ、これに対応する固定された光度で発光させることができる。
【００３７】
一方、制御モジュール５００は、設定することによって、特定出力を行っている時に、起動モジュール６００によって制御モジュール５００及び駆動モジュール４００に再び駆動電流Ｄの振幅が徐々に増加する第１段階の出力を行わせることができる。
【００３８】
図５は本発明に係る照明装置の光度調節方法の実施形態を示すフローチャートである。図５に示すように、本発明に係る照明装置の光度調節方法は、導通の状態になるように起動モジュールを制御し、電源モジュールから、電力と第１の電圧信号をそれぞれ駆動モジュールと制御モジュールに出力するステップＳ８００を含む。前記起動モジュールは、外部電源と電源モジュールの間に接続され、起動モジュールが導通の状態に切替えた場合、外部電源からの交流電が電源モジュールに入力される。電源モジュールは、前記交流電によって、第１の電圧信号を制御モジュールに出力する。つまり、起動モジュールが導通の状態になってから、電源モジュールは第１の電圧信号を制御モジュールに出力する。
【００３９】
また、本実施形態において、照明装置は、起動モジュールとしてボタンや、タッチセンサーなどが用いられ、導通の状態と切断の状態の間で切替えるが、これに限らず、他の実施形態において、起動モジュールとして、使用者が発する音声の周波数、音量を判別できる音声制御スイッチが用いられてもよい。
【００４０】
また、本発明に係る照明装置の光度調節方法は、更に制御モジュールが第１の電圧信号を受けた後、第１段階の出力が行われるように駆動モジュールを制御するステップＳ８１０を含む。駆動モジュールは電源モジュールから直流電力圧を受けて、制御モジュールの指示に従って、第１段階の出力に対応した振幅を有する駆動電流を光源モジュールに出力し、光源モジュールは、駆動電流に対応する光度で発光する。本実施形態において、制御モジュールは、０から徐々に駆動電流の振幅を増大するように駆動モジュールを制御する。また、本実施形態において、駆動電流は第１段階の出力において、所定の勾配を有するが、これに限らず、他の実施形態において、駆動モジュールは第１段階の出力において、出力の形態が曲線やステッピングの形態であってもよい。
【００４１】
本発明に係る照明装置の光度調節方法は、更に起動モジュールが切断（オフ）の状態になった時点に、第２の電圧信号が出力され、第１段階の出力が完了するように駆動モジュールを制御するステップＳ８２０を含む。第１段階の出力において、駆動モジュールは徐々に駆動電流の振幅を増大し、これによって光源モジュールが出力する光度が徐々に高められる。光源モジュールが発する光が所定の光度に達する時に、起動モジュールを切断の状態に切替えて、起動モジュールが切断の状態になった時点に、電源モジュールから第２の電圧信号が制御モジュールに出力される。本実施形態において、起動モジュールが切断の状態になった時に、電源モジュールは、電源からの交流電を受けることを停止して、０Ｖの第２の電圧信号を制御モジュールに出力するが、これに限らず、他の実施形態において、回路の調節により、起動モジュールが切断の状態になった時に、電源モジュールは、電源からの交流電を持続して受けて、振幅が０より大きい第２の電圧信号を制御モジュールに出力することができる。また、制御モジュールは、第２の電圧信号を受けてから、第１段階の出力における駆動電流の増大が停止される。
【００４２】
本発明に係る照明装置の光度調節方法は、更に再び起動モジュールを導通（オン）の状態に切替えて、制御モジュールが再び第１の電圧信号を受けた時に、第２段階の出力が行われるように駆動モジュールを制御するステップＳ８３０を含む。詳細に、第２段階の出力が行われる時、駆動モジュールは、制御モジュールが出力した幅が固定されるパルス幅変調信号によって駆動電流の値を固定して持続して出力する。つまり、駆動モジュールは、第２段階の出力において、第１段階の出力中の停止直前の駆動電流値Ｄを駆動電流Ｄとして電流値を固定して持続して出力する。これにより、光源モジュール２００は電流値が固定された駆動電流Ｄにより希望の光度で発光する。言い換えれば、駆動モジュールに第２段階の出力を起こさせるように再び起動モジュールを導通の状態に切替え、これによって、電源モジュールから再び第１の電圧信号を制御モジュールと駆動モジュールに出力する。本実施形態において、制御モジュールが第１の電圧信号を再び受けた時に、駆動モジュールが第１段階の出力中の停止直前の駆動電流の振幅を測定して、その振幅を第２段階の出力における駆動電流の振幅として電流値を固定して持続して出力する。つまり、本実施形態において、駆動モジュールは、第２段階の出力において、振幅が固定された駆動電流を光源モジュールに出力して、光源モジュールを固定された光度で発光させる。
【００４３】
図６は本発明に係る照明装置の光度調節方法の他の実施形態を示すフローチャートである。本実施形態において、光度調節方法は、更に起動モジュールが導通の状態に切替えた場合に、第１の電圧信号を前記制御モジュールに出力するようにカプラモジュールを制御するステップ９００を含む。
【００４４】
図６に示す実施形態において、照明装置は、更にカプラモジュールと、出力モード切替モジュールとを含む。カプラモジュールは、起動モジュールと制御モジュールの間に設置され、起動モジュールが導通の状態に切替えた場合に、電源モジュールからの第１の電圧信号Ｃを受けて、第１の電圧信号の振幅を縮小してから制御モジュールに出力する。つまり、本実施形態において、制御モジュールが受ける第１の電圧信号と変圧モジュールが出力する第１の電圧信号は、振幅が異なる同じ形態の波形を有する。また、本実施形態におけるカプラモジュールは、フォトカプラであるのが好ましく、変圧モジュールと制御モジュールとを電気的に絶縁して、電源モジュールを隔離された回路とする。このように、カプラモジュールにより、変圧モジュールが出力する第１の電圧信号の振幅が大きすぎで制御モジュールを損傷することが防止される。
【００４５】
また、図６に示す光度調節方法は、更に駆動モジュールに所定の駆動電流を出力させるように、出力モード切替信号を制御モジュールに入力するステップＳ９１０を含む。図６に示す実施形態において、照明装置は更に使用者の操作により、モード切替え信号を制御モジュールに出力する出力モード切替モジュールを含む。制御モジュールは、モード切替え信号受けてから、予め制御モジュールに記憶された所定のモードにより、幅が固定されたパルス幅変調信号を持続して駆動モジュールに出力して、駆動モジュールに振幅の幅が固定された駆動電流を光源モジュールに出力させて、光源モジュールに光度が固定した光を発光させる特定出力を行う。これにより、本実施形態において、希望により、照明装置が発する光度を調節することまたは出力モード切替モジュールによって固定された光度で発光させることを選択することができる。
【００４６】
本発明では好適な実施形態を前述及び図面の通り開示したが、各種の追加、若干の改良、変更が施されたものでも、本発明の好適な実施形態として用いられてもよく、特許請求の範囲に限定する本発明の精神と領域を離脱することはない。当該分野の技術を熟知しているものであれば、本発明における形式、構造、配置、比例、材料、要素及び組合に対して、多様の変動や修正を加えることができる。このため、本明細書に開示された実施形態は本発明を説明に用いられるものであって、決して本発明を限定するものではない。従って本発明の保護範囲は、特許請求の範囲で指定した内容を基準とし、法に合致する均等物を含み、前述に限定されない。
【符号の説明】
【００４７】
１０：照明装置
１２：照明装置
３０：トライアック
４０：光源モジュール
５０：制御モジュール
６０：スイッチ
１００：照明装置
１１０：外部電源
２００：光源モジュール
３００：電源モジュール
３１０：整流モジュール
３２０：変圧モジュール
３３０：一次側フィルター
３４０：二次側フィルター
３５０：蓄電部材
４００：駆動モジュール
５００：制御モジュール
６００：起動モジュール
７００：カプラモジュール
７１０：出力モード切替モジュール
Ａ：高圧交流電
Ｂ：全波整流電圧
Ｃ：第１の電圧信号
Ｄ：駆動電流
Ｅ：第２の電圧信号
Ｆ：変換信号
ＰＷＭ：パルス幅変調信号
【図１Ａ】
0005560320.tif 000002
【図１Ｂ】
0005560320.tif 000003
【図２Ａ】
0005560320.tif 000004
【図２Ｂ】
0005560320.tif 000005
【図３】
0005560320.tif 000006
【図４】
0005560320.tif 000007
【図５】
0005560320.tif 000008
【図６】
0005560320.tif 000009